(57)【要約】【課題】  硬度変更を行うことのできる部分が物理的機構により制限されず、また、硬度変更操作を行う際に、術者が該操作手段から手を離すことなく、他の操作と併せて硬度変更操作を行うことができる内視鏡を提供する。【解決手段】  本発明の内視鏡３は、挿入部２１と、操作部２２とを具備しており、挿入部２１は、硬度可変用アクチュエータ５４Ａおよび硬度可変用アクチュエータ５４Ｂを有し、操作部２２は、硬度変更制御部９３と、トラックボール６９と、スコープスイッチＳＷ１〜ＳＷ５とを有する。【選択図】  図９
2005304869.tif 000002
【特許請求の範囲】
【請求項１】
挿入部と、操作部とを具備した内視鏡において、
前記挿入部は、電圧が印加されることにより、硬度を変化させることができる硬度可変機構を複数箇所に有し、
前記操作部は、前記硬度可変機構を制御して硬度を変化させる硬度変更制御手段と、前記硬度変更制御手段に硬度を変化させる指示を行う硬度変更操作手段と、
を有することを特徴とする内視鏡。
【請求項２】
前記操作部は、複数の操作手段を有し、前記複数の操作手段のいずれかに、術者が前記硬度変更操作手段の機能を割り付けることができることを特徴とする請求項１に記載の内視鏡。
【請求項３】
前記硬度可変機構は、導電性高分子人工筋肉からなることを特徴とする請求項１および請求項２に記載の内視鏡。
【発明の詳細な説明】
【技術分野】
【０００１】
本発明は、体腔内等に挿入され、内視鏡検査等を行う内視鏡に関する。
【背景技術】
【０００２】
従来より、内視鏡は医療分野、工業分野等において広く用いられている。内視鏡は、例えば、医療分野においては、患部である生体の体腔の部位、組織等に対して種々の処置を行う際に用いられている。内視鏡を用いて患部に対し種々の処置を行う場合、屈曲した生体の体腔内に、内視鏡がスムーズに挿入される必要がある。そのため、内視鏡の挿入部は、一般的に可撓性を有している。しかし、挿入部が可撓性のみを有する場合、挿入部の手元側における操作が、挿入部先端側まで十分に伝達されないため、挿入部先端側の方向性が定まらず、その結果、内視鏡が屈曲した生体の体腔内にスムーズに挿入できないという課題があった。そのような課題を解決するため、例えば、特許文献１において、軟性な可撓管部と、硬度可変機構が挿入部に設けられ、手元操作により硬度可変機構を操作することのできる調整ノブが操作部に設けられた内視鏡が提案されている。  
【特許文献１】特開２００２−３３０９２４号公報
【発明の開示】
【発明が解決しようとする課題】
【０００３】
前記特許文献１に提案されている内視鏡においては、挿入部に設けられた硬度可変機構は、主に、硬度変更コイルと、硬度変更ワイヤとからなる。そのため、前記特許文献１に提案されている内視鏡を用いて術者が硬度変更を行う場合、硬度変更コイルと、硬度変更ワイヤとが設けられた部分全体が硬度変更の対象となる。すなわち、硬度変更を行うことのできる部分が、硬度変更コイルおよび硬度変更ワイヤといった物理的機構により制限されるため、硬度変更の部位または数に制限が生じるという課題がある。
【０００４】
また、前記特許文献１に提案されている内視鏡においては、術者は、調整ノブを用いた手元操作により硬度可変機構を操作することができる。しかし、前記特許文献１に提案されている内視鏡を用いて術者が硬度変更操作を行う場合、術者が操作部の他の部分の操作を行っていたとしても、該他の部分から調整ノブに持ち替えて操作を行う必要があるため、操作が煩雑になるという課題がある。
【０００５】
（発明の目的）
本発明は、上述した点に鑑みてなされたものであり、硬度変更を行うことのできる部分が物理的機構により制限されず、また、硬度変更操作を行う際に、術者が該操作手段から手を離すことなく、他の操作と併せて硬度変更操作を行うことができる内視鏡を提供することを目的とする。
【課題を解決するための手段】
【０００６】
本発明の内視鏡は、挿入部と、操作部とを具備した内視鏡において、前記挿入部は、電圧が印加されることにより、硬度を変化させることができる硬度可変機構を複数箇所に有し、前記操作部は、前記硬度可変機構を制御して硬度を変化させる硬度変更制御手段と、前記硬度変更制御手段に硬度を変化させる指示を行う硬度変更操作手段とを有する。
【発明の効果】
【０００７】
本発明によれば、硬度変更を行うことのできる部分が物理的機構により制限されず、また、術者が操作部から手を離すことなく、他の操作と併せて硬度変更操作を行うことができる。
【発明を実施するための最良の形態】
【０００８】
以下、図面を参照して本発明の実施の形態を説明する。  
図１ないし図２５は本発明の実施の形態に係り、図１は本発明を備えた内視鏡システムの全体構成を示し、図２はデータ通信形態を示し、図３は本発明の内視鏡の概略の構成を示し、図４は本実施の形態を備えた内視鏡システムの全体構成を示し、図５はＡＷＳユニット周辺部の具体的な外観形状を示し、図６はＡＷＳユニットに着脱自在のＡＷＳアダプタを取り付けた状態及び取り外した状態を示し、図７はＡＷＳアダプタの構造を示し、図８は内視鏡システム制御装置及びＡＷＳユニットの内部構成を示し、図９は内視鏡の詳細な構成を示す。  
また、図１０はアングル用部材及び硬度可変部材に用いられる導電性高分子人工筋肉（ＥＰＡＭ）の概略の特性を示し、図１１は図９のＣ矢視により操作部に設けたトラックボール等を示し、図１２は操作部本体にチューブユニットの基端が接点レスで着脱自在に接続される接点レス伝送部の構成を示し、図１３は内視鏡内に設けられた構成要素における電気系の構成を示し、図１４は内視鏡システム制御装置の主要部の電気系の構成を示し、図１５はＡＷＳユニットの電気系の構成を示し、図１６は観察モニタのモニタ表示面の代表的な表示例とメニュー表示の具体例を示す。
【０００９】
また、図１７はＡＷＳユニットの起動処理の動作内容を示し、図１８は内視鏡の起動処理の動作内容を示し、図１９は撮像制御処理の動作内容を示し、図２０は送気送水の制御処理の動作内容を示し、図２１はアングル操作の制御処理を示し、図２２は硬度変更操作に対する制御操作を示し、図２３は硬度変更の設定操作とその操作に対応するＵＰＤ画像を示し、図２４及び図２５はヒューマンインターフェースにおける内視鏡側及び内視鏡システム制御装置側でのそれぞれの処理内容を示す。  
本発明の具体的な構成を説明する前に、本発明の概略の構成を図１ないし図３を参照して説明する。
【００１０】
図１に示すように本発明を備えた内視鏡システム１は、検査ベッド２に横たわる図示しない患者の体腔内に挿入して内視鏡検査を行う軟性の内視鏡（スコープともいう）３と、この内視鏡３が接続され、送気、送水及び吸引機能を備えた送気・送水・吸引ユニット（以下、ＡＷＳユニットと略記）４と、内視鏡３に内蔵された撮像素子に対する信号処理と、内視鏡３に設けられた各種操作手段に対する制御処理等を行う内視鏡システム制御装置５と、この内視鏡システム制御装置５により生成された映像信号を表示する液晶モニタ等による観察モニタ６とを有する。  
また、この内視鏡システム１は、内視鏡システム制御装置５により生成された例えばデジタル映像信号をファイリング等する画像記録ユニット７と、ＡＷＳユニット４に接続され、内視鏡３の挿入部内に形状検出用コイル（以下、ＵＰＤコイルと略記）が内蔵された場合には、そのＵＰＤコイルにより発生される電磁場の信号を受信する等して各ＵＰＤコイルの位置を検出して内視鏡３の挿入部の形状を表示するためのＵＰＤコイルユニット８とを有する。
【００１１】
また、画像記録ユニット７は、この内視鏡システム１が設けられた病院内のＬＡＮ９と接続されており、このＬＡＮ９に有線或いは無線で接続された各端末装置により画像記録ユニット７にファイリングされた画像等を参照できるようにしている。  
また、図１に示すように、ＡＷＳユニット４と内視鏡システム制御装置５とは無線で情報（データ）の送受信を行うようにしている。なお、図１では、内視鏡３は、ＡＷＳユニット４とケーブルで接続されているが、無線で情報（データ）の送受信（双方向の伝送）をするようにしても良い。また、内視鏡システム制御装置５は、内視鏡３と無線で情報の送受信を行うようにしても良い。  
図２（Ａ）〜図２（Ｃ）は、内視鏡システム１におけるユニット、装置間、或いは内視鏡３とユニット或いは装置間のデータ送受信を行う送受信ユニット（通信部）における３つの方式を示している。図２（Ａ）では、具体例として、ＡＷＳユニット４と内視鏡システム制御装置５の場合として説明する。
【００１２】
図２（Ａ）は無線方式を示し、ＡＷＳユニット４に内蔵したデータ通信制御部１１により、データ送信部１２を経て変調してアンテナ部１３から無線で内視鏡システム制御装置５に送信する。  
また、ＡＷＳユニット４は、内視鏡システム制御装置５側から無線で送信されるデータをアンテナ部１３で受け、データ受信部１４により復調してデータ通信制御部１１にそのデータを送る。本発明では、無線方式でデータを送信する場合には、例えばＩＥＥＥ８０２．１１ｇの規格により最大のデータ通信速度が５４ＭｂｐｓのワイヤレスＬＡＮを形成している。  
図２（Ｂ）は、有線方式であり、具体例として、内視鏡３とＡＷＳユニット４とでデータ送受信を行う場合として説明する。内視鏡３に内蔵したデータ通信制御部１１により、データ送信部１２′を経て電気コネクタ１５から有線でＡＷＳユニット４に送信する。  また、ＡＷＳユニット４から送信されるデータは電気コネクタ１５及びデータ受信部１４′を経てデータ通信制御部１１にそのデータを送る。
【００１３】
図２（Ｃ）は、光通信方式を示し、具体例として、ＡＷＳユニット４と内視鏡システム制御装置５とでデータ送受信を行う場合として説明する。ＡＷＳユニット４に内蔵したデータ通信制御部１１は、光通信用の送受信を行うデータ送信部１２″とデータ受信部１４″を介して、このＡＷＳユニット４に設けた光通信カプラ１６と接続され、内視鏡システム制御装置５側の光通信カプラを介してデータの送受信を行う。  
また、図３は、本発明の内視鏡３の概略の構成を示する。この内視鏡３は、内視鏡本体１８と、この内視鏡本体１８に着脱自在に接続され、例えば使い捨てタイプ（ディスポーザブルパイプ）のチューブユニット１９とからなる。チューブユニット１９は、従来のユニバーサルケーブルより細径化されており、本実施の形態において２つの管路チューブ６３、６４と電源線７２ａ及び信号線７２ｂのみから構成されている。  
内視鏡本体１８は、体腔内に挿入される軟性の挿入部２１と、この挿入部２１の後端に設けられた操作部２２とを有し、この操作部２２にはチューブユニット１９の基端が着脱自在に接続される。
【００１４】
また、挿入部２１の先端部２４には、撮像素子として、撮像素子内部でゲインを可変とするＣＣＤ２５を用いた撮像ユニットが配置されている。また、先端部２４には先端部２４が体腔内の内壁等と接触（圧接）した状態を検出する接触センサ１４２が設けてある。  
また、先端部２４の後端には低力量で湾曲させることができる湾曲部２７が設けてあり、操作部２２に設けられた、アングル／リモコン操作子２８を操作することにより、湾曲部２７を湾曲することができる。このアングル／リモコン操作子２８は、アングル操作（湾曲操作）と、送気送水、吸引等の操作、内視鏡システム制御装置５等に対する遠隔制御操作（具体的には、フリーズ指示操作、レリーズ指示操作）としてのリモコン操作等を行うことができるようにしている。また、挿入部２１には硬度可変とする部分が形成され、挿入などをより円滑に行えるようにしている。  
また、挿入部２１内には、洗浄レベル検出部２９が設けてあり、管路の洗浄レベル等を検出できるようにしている。
【００１５】
次に図４を参照して、内視鏡システム１のより具体的な構成を説明する。
【００１６】
検査ベッド２の側面に隣接して液晶モニタ等により構成される観察モニタ６が配置され、また検査ベッド２の長手方向の一方の端部付近に移動自在に配置したカート３１上には、内視鏡システム制御装置５、ＡＷＳユニット４、画像ファイル／ＬＡＮ／電気メス／超音波ユニット（画像ファイルユニット、無線ＬＡＮ或いは有線ＬＡＮ、電気メス装置、超音波ユニット等を簡略化して表記）３２が配置され、最上部にはタッチパネル付きモニタ３３が配置されている。  
また、検査ベッド２における患者が横たわる上面部分には、ＵＰＤコイルユニット８が埋め込まれている。このＵＰＤコイルユニット８は、ＵＰＤケーブル３４により、ＡＷＳユニット４に接続される。
【００１７】
本実施の形態においては、ＡＷＳユニット４と内視鏡システム制御装置５とは、例えば図８に示すように無線の送受信ユニット７７、１０１によりデータの送受信を行う。また、図４に示すように観察モニタ６は、モニタケーブル３５により内視鏡システム制御装置５のモニタ用コネクタに接続される。
【００１８】
なお、図４に示すように内視鏡システム制御装置５と観察モニタ６とに、それぞれ送受信ユニット１０１、３６を取り付け、内視鏡システム制御装置５から観察モニタ６に映像信号を送信して、その表示面にその映像信号互に対応する内視鏡画像を表示できるようにしても良い。  
後述するように内視鏡システム制御装置５には、ＡＷＳユニット４側からＣＣＤ２５により撮像した画像データと共に、ＵＰＤコイルユニット８を用いて検出した内視鏡３の挿入部形状（ＵＰＤ画像）の画像データが送信され、従って内視鏡システム制御装置５は、これらの画像データに対応する映像信号を観察モニタ６に送り、その表示面に内視鏡画像と共にＵＰＤ画像も表示することもできるようにしている。
【００１９】
観察モニタ６は、このように複数種類の画像をその表示面に同時に表示できるように、高解像度ＴＶ（ＨＤＴＶ）のモニタにて構成される。  
また、本実施の形態においては、検査ベッド２における長手方向の一方の端部及びその下部の位置には、収納用凹部が形成されており、この収納用凹部にトレー運搬用トロリ３８を、スライド自在に収納できるようにしている。このトレー運搬用トロリ３８の上部には、図９に示す内視鏡３が収納されるスコープトレー３９が載置される。  
そして、滅菌或いは消毒された内視鏡３を収納したスコープトレー３９をトレー運搬用トロリ３８により運搬でき、検査ベッド２の収納用凹部に収納できる。術者は、スコープトレー３９から内視鏡３を引き出して内視鏡検査に使用できると共に、内視鏡検査の終了後には再びこのスコープトレー３９に収納すれば良い。その後、トレー運搬用トロリ３８により、使用後の内視鏡３を収納したスコープトレー３９を運搬することにより、滅菌或いは消毒もスムーズに行うことができる。
【００２０】
また、図４に示すように、例えばＡＷＳユニット４には、スコープコネクタ４０が設けてある。そして、このスコープコネクタ４０には、図８に示すように（内視鏡３の）スコープコネクタ４１が着脱自在に接続される。  
この場合、ＡＷＳユニット４側のスコープコネクタ４０のより具体的な外観形状を図５及び図６に示す。また、図７はＡＷＳユニット４のスコープコネクタ４０に着脱自在に取り付けられるＡＷＳアダプタ４２の構造を示し、図８は、ＡＷＳユニット４側のスコープコネクタ４０及び内視鏡３側のスコープコネクタ４１の内部構造を接続状態で示している。  
実際には図６（Ｂ）に示すようにＡＷＳユニット４の前面には、凹部形状のＡＷＳアダプタ取り付け部４０ａが設けてあり、このＡＷＳアダプタ取り付け部４０ａには、図７に示すＡＷＳアダプタ（管路接続アダプタ）４２を取り付けることにより、スコープコネクタ４０が形成され、このスコープコネクタ４０に内視鏡３のスコープコネクタ４１が接続される。
【００２１】
ＡＷＳアダプタ取り付け部４０ａには、スコープ接続用の電気コネクタ４３と送気コネクタ４４と、ピンチバルブ４５とが設けてあり、このＡＷＳアダプタ取り付け部４０ａに、ＡＷＳアダプタ４２の内側端面が着脱自在に取り付けられ、その外側端面側から内視鏡３のスコープコネクタ４１が接続される。  
このＡＷＳアダプタ４２の詳細を図７に示す。図７（Ａ）はＡＷＳアダプタ４２の正面図、図７（Ｂ）及び図７（Ｃ）は左及び右側面図、図７（Ｄ）及び図７（Ｅ）は、図７（Ａ）のＡ−Ａ′及びＢ−Ｂ′断面図をそれぞれ示す。  
このＡＷＳアダプタ４２には、その前面の凹部４２ａにスコープコネクタ４１が挿入され、その場合、この凹部内に設けた貫通孔４２ｂにスコープコネクタ４１における電気コネクタ部分が挿入され、この貫通孔４２ｂ内に臨むＡＷＳユニット４に設けたスコープ接続用の電気コネクタ４３に接続される。
【００２２】
また、この貫通孔４２ｂの下側に送気送水コネクタ４２ｃと吸引コネクタ４２ｄとが設けてあり、スコープコネクタ４１における送気送水口金６３及び吸引口金６４（図８及び図９参照）がそれぞれ接続される。  
なお、ＡＷＳアダプタ４２の基端面側には、ＡＷＳアダプタ取り付け部４０ａから突出するピンチバルブ４５を収納する凹部４２ｆが設けてある。  
図７（Ｅ）に示すようにＡＷＳアダプタ４２に設けた送気送水コネクタ４２ｃは、これに連通する内部の管路が分岐し、ＡＷＳユニット４の送気コネクタ４４に接続される送気口金４２ｅと、側方に突出する送水口金４６とになる。また、吸引コネクタ４２ｄは、これに連通する管路が側方に屈曲して側面に突出する吸引口金４７になると共に、途中で例えば上方に分岐したリリーフ管路４７ａとなり、このリリーフ管路４７ａは途中でピンチバルブ４５の内側を通された後、その上端は開口している。
【００２３】
このリリーフ管路４７ａは、吸引手段を形成する図示しない吸引ポンプを常時動作状態に設定した場合には、通常ピンチバルブ４５により解放状態に設定されており、吸引操作が行われた場合にピンチバルブ４５が駆動される。そして、このピンチバルブ４５により、リリーフ管路４７ａが閉じられることにより解放が止められ、吸引の動作が行われるようになる。  
これら送水口金４６と吸引口金４７には、図５等に示すように、送水タンク４８と（吸引チューブ４９ａを介して途中に吸引タンク４９ｂが介挿されて）吸引器とにそれぞれ接続される。送水タンク４８は、ＡＷＳユニット４の送水タンク用コネクタ５０に接続される。なお、ＡＷＳユニット４の前面におけるスコープコネクタ４０の上部側に操作パネル４ａが設けてある。  
次に図９を参照して本発明の実施の形態の内視鏡３の具体的な構成を説明する。  
図３において、その概略を説明したように、本実施の形態の内視鏡３は、軟性の挿入部２１及びその後端に設けられた操作部２２を有する内視鏡本体１８と、この内視鏡本体１８における操作部２２の基端（前端）付近に設けた（チューブユニット接続用）コネクタ部５１に、その基端の総合コネクタ部５２が着脱自在に接続される使い捨てタイプ（ディスポタイプと略記）のチューブユニット１９とからなり、このチューブユニット１９の末端にはＡＷＳユニット４に着脱自在に接続される上述のスコープコネクタ４１が設けてある。
【００２４】
挿入部２１は、この挿入部２１の先端に設けた硬質の先端部２４と、その先端部２４の後端に設けられた湾曲自在の湾曲部２７と、この湾曲部２７の後端から操作部２２までの細長の軟性部（蛇管部）５３とからなり、この軟性部５３における途中の複数箇所、具体的には２箇所には、電圧を印加することにより伸縮し、硬度も変化させることができる導電性高分子人工筋肉（ＥＰＡＭと略記）と呼ばれる、硬度可変機構である硬度可変用アクチュエータ５４Ａ、５４Ｂとが設けてある。硬度可変用アクチュエータ５４Ａ、５４Ｂが有する、電圧を印加することにより伸縮し、硬度も変化させることができるという作用により、硬度変更を行うことのできる部分が物理的機構により制限されることがない。
【００２５】
挿入部２１の先端部２４に設けた照明窓の内側には、照明手段として例えば発光ダイオード（ＬＥＤと略記）５６が取り付けられ、このＬＥＤ５６の照明光は、このＬＥＤ５６に一体的に取り付けられた照明レンズを介して前方に出射され、患部等の被写体を照明する。なお、このＬＥＤ５６は、白色光を発生するＬＥＤでも良いし、赤（Ｒ），緑（Ｇ），青（Ｂ）の各波長域の光を発生するＲ用ＬＥＤ、Ｇ用ＬＥＤ及びＢ用ＬＥＤを用いて構成しても良い。照明手段を形成する発光素子としては、ＬＥＤ５６に限定されるものでなく、ＬＤ（レーザダイオード）等を用いて形成することもできる。
【００２６】
また、この照明窓に隣接して設けた観察窓には、図示しない対物レンズが取り付けられ、その結像位置には、ゲイン可変の機能を内蔵したＣＣＤ２５が配置され、被写体を撮像する撮像手段が形成されている。本実施の形態におけるＣＣＤ２５は、ゲイン可変の機能をＣＣＤ素子自体に内蔵し、ゲイン可変の機能によりＣＣＤ出力信号のゲインを数１００倍程度まで容易に可変できるので、ＬＥＤ５６による照明光のもとでも、Ｓ／Ｎの低下の少ない明るい画像が得られるようにしている。また、ＬＥＤ５６は、ランプの場合に比べて発光効率が良好であるので、ＬＥＤ５６付近の温度上昇を抑制できる。  
ＬＥＤ５６及びＣＣＤ２５にそれぞれ一端が接続され、挿入部２１内に挿通された信号線の他端は、例えば操作部２２内部に設けられ、集中制御処理（集約制御処理）を行う制御回路５７に接続されている。  
また、挿入部２１内には、その長手方向に沿って所定間隔でＵＰＤコイル５８が複数配置され、各ＵＰＤコイル５８に接続された信号線は、操作部２２内に設けたＵＰＤコイル駆動ユニット５９を介して制御回路５７に接続されている。
【００２７】
また、湾曲部２７における外皮内側における周方向の４箇所には、その長手方向にＥＰＡＭを配置して形成したアングル用アクチュエータ２７ａが配置されている。また、このアングル用アクチュエータ２７ａ及び硬度可変用アクチュエータ５４Ａ、５４Ｂもそれぞれ信号線を介して制御回路５７に接続されている。
【００２８】
アングル用アクチュエータ２７ａ及び硬度可変用アクチュエータ５４Ａ、５４Ｂに用いられるＥＰＡＭは、図１０（Ａ）に示すように例えば板形状の両面に電極を取り付け、電圧を印加することにより、図１０（Ｂ）に示すように厚み方向に収縮させ、長手方向に伸長させることができる。なお、このＥＰＡＭは、図１０（Ｃ）に示すように、例えば印加する電圧による電界強度Ｅの略２乗に比例して歪み量を可変することができる。  
アングル用アクチュエータ２７ａとして利用する場合には、ワイヤ形状等に形成して一方を伸長させ、反対側を収縮させることにより、通常のワイヤによる機能と同様に湾曲部２７を湾曲させることができる。また、この伸長或いは収縮により、その硬度を可変させることができ、硬度可変用アクチュエータ５４Ａ、５４Ｂではその機能を利用してその部分の硬度を可変可能にしている。
【００２９】
また、挿入部２１内には、送気送水管路６０ａ及び吸引管路６１ａとが挿通されており、その後端はコネクタ部５１において開口した管路コネクタ部５１ａとなっている。そして、この管路コネクタ部５１ａには、チューブユニット１９の基端の総合コネクタ部５２におけるチューブコネクタ５２ａが着脱自在に接続される。  
そして、送気送水管路６０ａは、チューブユニット１９内に挿通された送気送水管路６０ｂに接続され、吸引管路６１ａは、チューブユニット１９内に挿通された吸引管路６１ｂに接続されると共に、チューブコネクタ５２ａ内で分岐して外部に開口し、鉗子等の処置具を挿入可能とする処置具挿入口（鉗子口と略記）６２と連通する。この鉗子口６２は、鉗子栓６２ａにより、使用しない場合には閉塞される。  
これら送気送水管路６０ｂ及び吸引管路６１ｂの手元側の後端は、スコープコネクタ４１において、送気送水口金６３及び吸引口金６４となる。
【００３０】
送気送水口金６３及び吸引口金６４は、図６及び図７等に示したＡＷＳアダプタ４２の送気送水コネクタ４２ｃ及び吸引コネクタ４２ｄにそれぞれ接続される。そして、図７に示すようにこのＡＷＳアダプタ４２の内部において送気送水コネクタ４２ｃは、送気管路と送水管路に分岐する。図８に示すように、送気管路は、ＡＷＳユニット４内部の送気送水用ポンプ６５に電磁弁Ｂ１を介挿して接続され、送水管路は、送水タンク４８に接続される。また、この送水タンク４８も、途中に電磁弁Ｂ２を介して送気送水用ポンプ６５に接続される。  送気送水用ポンプ６５、電磁弁Ｂ１及びＢ２は、制御線（駆動線）によりＡＷＳ制御ユニット６６と接続され、このＡＷＳ制御ユニット６６により開閉が制御され、送気及び送水を行うことができるようにしている。なお、ＡＷＳ制御ユニット６６は、ピンチバルブ４５の開閉の制御により、吸引の動作制御も行う。
【００３１】
また、図９に示すように内視鏡本体１８の操作部２２には、術者が把持する把持部６８が設けられ、この把持部６８を含むその周辺には、レリーズ、フリーズ等のリモートコントロール操作（リモコン操作と略記）を行う、例えば３つのスコープスイッチＳＷ１，ＳＷ２，ＳＷ３が操作部２２の長手方向の軸に沿って設けてあり、それぞれ制御回路５７に接続されている。  
さらに操作部２２におけるこれらスコープスイッチＳＷ１，ＳＷ２，ＳＷ３が設けられた位置と反対側の上面として傾斜して形成された斜面部Ｓａには、把持部６８を把持した手で操作可能とする位置にアングル操作（湾曲操作）や切り換えて他のリモコン操作の設定等を行う防水構造のトラックボール６９が設けてある。
【００３２】
また、図８におけるＣ矢視を図１１に示す。図１１に示すように、この斜面部Ｓａにおけるトラックボール６９の両側には、２つのスコープスイッチＳＷ４，ＳＷ５が操作部２２の長手方向の両側となる左右方向に左右対称となる位置に設けてある。スコープスイッチＳＷ４，ＳＷ５は、通常は、送気送水スイッチと吸引スイッチの機能が割り付けられる。
【００３３】
図８におけるＣ矢視方向側から内視鏡３の操作部２２を見た場合を正面とした場合、操作部２２或いは挿入部２１の長手方向に対してトラックボール６９が長手方向の中心線上となり、かつ２つのスコープスイッチＳＷ４，ＳＷ５は左右対称に配置されると共に、この中心線に沿ってその背面側にスコープスイッチＳＷ１，ＳＷ２，ＳＷ３が配置されている。  
このように操作部２２は、複数の操作手段を有している。また、操作部２２においては、トラックボール６９等の各種の操作手段が、その長手方向の中心軸に関して左右対称に設けられているので、術者が操作部２２の把持部６８を把持して操作する場合、左手で把持する場合と右手で把持して操作する場合のいずれにおいても同じように良好な操作性を確保できるようにしている。  
このトラックボール６９及びスコープスイッチＳＷ４，ＳＷ５も制御回路５７に接続されている。トラックボール６９及びスコープスイッチＳＷ１〜ＳＷ５は、図３のアングル／リモコン操作子２８に該当する。なお、後述するように、操作手段であるトラックボール６９及びスコープスイッチＳＷ１〜ＳＷ５においては、１ないし複数に硬度変更操作手段を割り付けることができる。また、トラックボール６９及びスコープスイッチＳＷ１〜ＳＷ５の内の１ないし複数に割り付けられた硬度変更操作手段は、術者の操作により、後述する、硬度変更制御手段である硬度変更制御部９３に対し指示が行われる。そして、該指示を受けた硬度変更制御部９３は、硬度可変用アクチュエータ５４Ａ、５４Ｂの硬度を変化させる。
【００３４】
また、この制御回路５７から延出された電源線７１ａ及び信号線７１ｂは、コネクタ部５１及び総合コネクタ部５２において形成される接点レス伝送部７２ａ，７２ｂを介してチューブユニット１９内を挿通された電源線７３ａ及び信号線７３ｂと接点レスにより電気的に接続される（その詳細は図１２参照）。これら電源線７３ａ及び信号線７３ｂは、スコープコネクタ４１において電源＆信号接点を備えた電気コネクタ７４に接続されている。なお、接点レス伝送部７２ａ，７２ｂにおけるコネクタ部５１側を例えば接点レス伝送ユニット５１ｂと呼ぶ。  
そして、ユーザは、このスコープコネクタ４１をＡＷＳユニット４に接続することにより、図８に示すように電源線７３ａは、ＡＷＳユニット４の電気コネクタ４３を介して電源ユニット７５に接続され、信号線７３ｂは、（電源ユニット７５を介して）ＵＰＤユニット７６と送受信ユニット７７と、ＡＷＳ制御ユニット６６に接続される。なお、送受信ユニット７７は、無線による電波の送受信を行うアンテナと接続される。
【００３５】
図１２は、コネクタ部５１と５２における接点レス伝送部７２ａ及び７２ｂによる接点レスによる接続部の構成を示す。  
電源ユニット７５からチューブユニット１９内を挿通された電源線７３ａにより供給される交流の電力は、コネクタ部５２の外装ケース内に収納され、接点レス伝送部７２ａを形成する１次側のコイルＣ１ａに供給される。  
コネクタ部５１の外装ケースの内側には、２次側のコイルＣ１ｂが配置され、前記１次側のコイルＣ１ａと２次側のコイルＣ１ｂとは近接して磁束漏れが少ない状態で電磁結合するトランスＴ１を形成する。  
そして、この電磁結合によって、このコイルＣ１ａに供給された交流の電力が効率良く、２次側のコイルＣ１ｂに伝達される。このコイルＣ１ｂは、制御回路５７内の電源回路７８に接続され、電源回路７８により制御回路５７側で必要とされる直流電力を生成する。
【００３６】
電源回路７８は、整流用のダイオードＤ及び平滑用コンデンサを介して整流された直流電圧を、例えば３端子電源用ＩＣ７９及び平滑用コンデンサにより、制御回路５７の動作に必要な直流電圧に変換して、制御回路５７に供給する。  
また、制御回路５７に接続された（共通の信号伝送手段を形成する）信号線７１ｂは、接点レス伝送部７２ｂを形成するコイルＣ２ａに接続され、このコイルＣ２ａに近接して対向するコイルＣ２ｂはチューブユニット１９内を挿通された信号線７３ｂと接続されている。つまり、トランスＴ１の場合とほぼ同様に、コイルＣ２ａとＣ２ｂとによる電磁結合するトランスＴ２により、接点レス伝送部７２ｂが形成されている。  
電磁結合するコイルＣ２ａ及びＣ２ｂを経て信号線７１ｂ側から信号線７３ｂ側に信号が伝達されると共に、逆方向にも信号が伝達される。
【００３７】
本実施の形態では、図１３にてその内部構成を説明するように、制御回路５７により各種の操作手段及び撮像手段等を集中的に制御ないしは管理する構成にすることにより、チューブユニット１９内を挿通する電気信号線の本数を削減できるようにしている。また、内視鏡３に設ける機能を変更した場合においても、チューブユニット１９内の信号線７３ｂをそのまま変更無しで使用することができる。つまり、信号線７３ｂは、各種の信号を共通して伝送する共通の信号伝送手段を形成している。  
なお、図１２に示すように、例えばトランスＴ２に隣接して、磁石Ｍ１及びＭ２とが異なる磁極同士が対向するように配置され、コネクタ部５１に総合コネクタ部５２を接続する際に、コイルＣ１ａとＣ１ｂ、コイルＣ２ａとＣ２ｂとが近接して対向する状態で着脱自在に取り付けられるようにしている。なお、磁石Ｍ１及びＭ２の代わりに、両コネクタ部５１、５２に互いに嵌合して位置決めする凹凸部を設けるようにしても良い。  
このように本実施の形態の内視鏡３は、内視鏡本体１８をチューブユニット１９と接点レスで着脱自在に接続する構成にしていることが特徴の１つになっている。  
図１３は、内視鏡本体１８の操作部２２内に配置された制御回路５７等と、挿入部２１の各部に配置された主要構成要素における電気系の構成を示す。  
図１３における左側の下部に示す挿入部２１の先端部２４には、ＣＣＤ２５とＬＥＤ５６とが配置され、図面中その上に記載された湾曲部２７にはアングル用アクチュエータ（本実施の形態では具体的にはＥＰＡＭ）２７ａ及びエンコーダ２７ｃが配置されている。
【００３８】
また、軟性部５３には硬度可変用アクチュエータ５４及びエンコーダ５４ｃ（本実施の形態では具体的にはＥＰＡＭによる硬度可変用アクチュエータ５４Ａ、５４Ｂであるが、簡略化して１つで代表して示している）がそれぞれ配置されている。また、この軟性部５３にはＵＰＤコイル５８が配置されている。  
また、挿入部２１の軟性部５３の上に記載された操作部２２の表面には、トラックボール６９、送気送水ＳＷ（ＳＷ４）、吸引ＳＷ（ＳＷ５）、スコープＳＷ（ＳＷ１〜３）が配置される。なお、後述するようにトラックボール６９は、アングル操作と他の機能の選択設定等に利用される。  
図１３の左側に示したこれらは、信号線を介してその右側に示した操作部２２に設けた制御回路５７（なお、ＵＰＤコイル駆動ユニット５９は操作部２２内）と接続され、制御回路５７は、それらの機能の駆動制御や信号処理等を行う。
【００３９】
制御回路５７は、制御状態を管理するＣＰＵ等により構成される状態管理部８１を有し、この状態管理部８１は、各部の状態を保持（記憶）する状態保持メモリ８２と接続されている。この状態保持メモリ８２は、制御情報格納手段としてのプログラム格納メモリ８２ａを有し、このプログラム格納メモリ８２ａに格納される制御情報としてのプログラムデータを書き換えることにより、図１３に示す構成要素を変更した場合にも、状態管理部８１（を構成するＣＰＵ）は、その変更した構成に対応した制御（管理）を行えるようにしている。  
また、この状態保持メモリ８２或いは少なくともプログラム保持メモリ８２ａは、例えば不揮発性で電気的に書き換え可能なフラッシュメモリ或いはＥＥＰＲＯＭ等で構成され、状態管理部８１を介してプログラムデータの変更を簡単に行えるようにしている。
【００４０】
例えば信号線７１ｂを介して、つまり以下の有線による送受信ユニット８３を介して状態管理部８１に対して、プログラムデータの変更のコマンドを送り、そのコマンドの後に書き換えるプログラムデータをＡＷＳユニット４側から送信することによりプログラムデータの変更を行えるようにしている。また、バージョンアップ等も信号線７１ｂを介して容易に行えるようにしている。  
また、この状態保持メモリ８２に、以下のように各内視鏡３に固有な機種情報や使用状況に対応した個体情報を書き込んで保持し、その情報を有効利用できるようにしても良い。具体的には、状態保持メモリ８２には、例えば内視鏡３の機種情報（例えば、ＣＣＤ２５の種類、挿入部長などの情報）を保持すると共に、内視鏡検査等の使用状況によって異なる各内視鏡３の個体別情報（例えば、使用時間（内視鏡検査の通算或いは積算の使用時間）、洗浄回数、調整値、保守履歴などの情報）が保持され、これらの情報はシステム動作の決定やユーザへの情報提供などに利用される。  
またこれらの情報は、内視鏡システム制御装置５や図示しない洗浄装置など外部からの編集も可能としている。  
このようにすることにより、状態保持メモリ８２を従来のスコープＩＤの機能を兼ねることで共有して利用することで、スコープＩＤに持たす情報（データ）を有効に活用できる。  
また、この状態保持メモリ８２を有しているので、別途スコープＩＤを設ける必要がないし、既存のスコープＩＤよりも高機能化でき、より詳細に適切な設定、調整、管理、処理等を行うことが可能となる。
【００４１】
また、この状態管理部８１は、（本実施の形態においては）ＡＷＳユニット４と有線で通信を行う有線方式の送受信ユニット８３と接続されている（この送受信ユニット８３は、図２（Ｂ）に該当するので、その構成要素は図２（Ｂ）の符号を付けて示している。但し、電気コネクタ１５は、操作部２２内では接点レス伝送部７２ａ、７２ｂであり、チューブユニット１９の端部では電気コネクタ７４となる）。
【００４２】
また、この状態管理部８１は、照明を制御する照明制御部８４を介して、この照明制御部８４により制御されるＬＥＤ駆動部８５を制御する。このＬＥＤ駆動部８５は、照明手段となるＬＥＤ５６を発光させるＬＥＤ駆動信号をＬＥＤ５６に印加する。  
このＬＥＤ５６の発光により、照明された患部等の被写体は、観察窓に取り付けられた図示しない対物レンズにより、その結像位置に配置されたＣＣＤ２５の撮像面に結像され、このＣＣＤ２５により光電変換される。  
このＣＣＤ２５は、状態管理部８１により制御されるＣＣＤ駆動部８６からのＣＣＤ駆動信号の印加により、光電変換して蓄積した信号電荷を撮像信号として出力する。この撮像信号は、Ａ／Ｄコンバータ（ＡＤＣと略記）８７によりアナログ信号からデジタル信号に変換された後、状態管理部８１に入力されると共に、デジタル信号（画像データ）が画像メモリ８８に格納される。この画像メモリ８８の画像データは、送受信ユニット８３のデータ送信部１２′に送られる。
【００４３】
そして、電気コネクタ１５（本実施の形態においては接点レス伝送ユニット５１ｂ）からチューブユニット１９内の信号線７３ｂを経てＡＷＳユニット４側に伝送される。さらにＡＷＳユニット４から無線で内視鏡システム制御装置５に伝送される。  
上記ＡＤＣ８７の出力信号は、明るさ検出部８９に送られ、明るさ検出部８９により検出された画像の明るさの情報は、状態管理部８１に送られる。状態管理部８１は、この情報により、照明制御部８４を介してＬＥＤ５６による照明光量を適正な明るさとなるように調光制御を行う。  
また、状態管理部８１は、アングル制御部９１を介してアクチュエータ駆動部９２を制御し、このアクチュエータ駆動部９２によりアングル用アクチュエータ（ＥＰＡＭ）２７ａを駆動する管理をする。なお、このアングル用アクチュエータ（ＥＰＡＭ）２７ａの駆動量はエンコーダ２７ｃにより検出され、駆動量が指示値に対応する値に一致するように制御される。
【００４４】
また、状態管理部８１は、硬度変更制御手段である硬度変更制御部９３を介してアクチュエータ駆動部９４を制御し、このアクチュエータ駆動部９４により硬度可変用アクチュエータ５４を駆動する管理を行う。なお、この硬度可変用アクチュエータ５４の駆動量はエンコーダ５４ｃにより検出され、その駆動量が指示値に対応する値となるように制御される。また、硬度変更制御手段である硬度変更制御部９３は、硬度可変機構である硬度可変用アクチュエータ５４Ａおよび硬度可変用アクチュエータ５４Ｂを制御して硬度を変化させる。
【００４５】
また、この状態管理部８１には、操作部２２に設けられたトラックボール６９等からの操作量に対応する操作信号がトラックボール変位検出部９５を介して入力される。  
また、送気送水ＳＷ、吸引ＳＷ、スコープＳＷによるＯＮ等のスイッチ押しの操作は、スイッチ押し検出部９６により検出され、その検出された情報は状態管理部８１に入力される。ＥＰＡＭは、外力による変形により起電力を発生する特性があり、駆動するＥＰＡＭの反対側に配置したＥＰＡＭをエンコーダとして用いても良い。  
また、制御回路５７は、電源伝送受信部９７及び電源発生部９８とを有する。電源伝送受信部９７は、具体的には操作部２２においては接点レス伝送部７２ａである。そして、電源発生部９８に伝送された交流電源は、この電源発生部９８において、直流電源に変換される。この電源発生部９８は、図１１の電源回路７８に相当する。電源発生部９８により生成された直流電源は、制御回路５７内部の各部に、その動作に必要な電力を供給する。
【００４６】
図１４は内視鏡システム制御装置５における図８の送受信ユニット１０１及び画像処理ユニット１１６の内部構成を示す。  
この内視鏡システム制御装置５は、例えば無線方式の送受信ユニット１０１を有する。  ＡＷＳユニット４から無線により送信される画像信号等のデータは、アンテナ部１３により取り込まれて、データ受信部１４に送られ、増幅された後、復調処理される。このデータ受信部１４は、データ通信制御部１１によりその動作が制御され、受信されたデータはバッファメモリ１０２に順次蓄積される。  
このバッファメモリ１０２の画像データは、画像データの処理を行う画像処理部１０３に送られる。この画像処理部１０３には、バッファメモリ１０２からの画像データの他に、キーボード１０４のキー入力により文字情報を発生する文字生成部１０５からの文字情報も入力され、画像データに文字情報をスーパインポーズ等することができる。
【００４７】
画像処理部１０３は、入力された画像データ等を画像メモリ制御部１０６に送り、この画像メモリ制御部１０６を介して画像メモリ１０７に画像データ等を一時格納すると共に、記録メディア１５８に記録する。  
また、画像メモリ制御部１０６は、画像メモリ１０７に一時格納された画像データを読み出されてデジタルエンコーダ１０８に送り、デジタルエンコーダ１０８は画像データを所定の映像方式にエンコードし、Ｄ／Ａコンバータ（ＤＡＣと略記）１０９に出力する。このＤＡＣ１０９は、デジタルの映像信号をアナログの映像信号に変換する。このアナログの映像信号は、さらにラインドライバ１１０を経て映像出力端から観察モニタ６に出力され、観察モニタ６には映像信号に対応する画像が表示される。  
また、画像メモリ１０７に一時格納された画像データは、読み出されてＤＶデータ生成部１１１にも入力され、このＤＶデータ生成部１１１によりＤＶデータが生成され、ＤＶデータ出力端からＤＶデータが出力される。
【００４８】
また、この内視鏡システム制御装置５には、映像入力端及びＤＶデータ入力端とが設けてあり、映像入力端子から入力された映像信号は、ラインレシーバ１１２、ＡＤＣ１１３を経てデジタル信号に変換された映像信号は、デジタルデコーダ１１４により復調されて、画像メモリ制御部１０６に入力される。  
また、ＤＶデータ入力端とに入力されたＤＶデータは、画像データ抽出部１１５により画像データが抽出（デコード）され、画像メモリ制御部１０６に入力される。  
画像メモリ制御部１０６は、映像入力端或いはＤＶデータ入力端から入力される映像信号（画像データ）に対しても、画像メモリ１０７に一時記憶したり、記録メディア１５８に記録したり、或いは映像出力端から観察モニタ６に出力したりする。  
本実施の形態においては、ＡＷＳユニット４側から、内視鏡３のＣＣＤ２５により撮像された画像データとＵＰＤユニット７６により生成されたＵＰＤ画像データとが無線で内視鏡システム制御装置５に入力され、内視鏡システム制御装置５は、これらの画像データを所定の映像信号に変換して観察モニタ６に出力する。なお、内視鏡システム制御装置５は、ＵＰＤ画像データの代わりにＵＰＤコイル位置データを受信し、画像処理部１０３内でＵＰＤ画像データを生成しても良い。
【００４９】
図１５はＡＷＳユニット４の内部構成を示す。  
内視鏡３の制御回路５７からスコープ用の電気コネクタ４３に入力された画像データ及びスイッチ等の操作データは、送受信ユニット７７のデータ通信制御部１１に出力され、ＵＰＤユニット７６からのＵＰＤ画像データと共に、アンテナ部１３から内視鏡システム制御装置５のアンテナ部１３に送信する。  
一方、内視鏡３の操作部２２に設けた送気送水スイッチや吸引スイッチの操作等のＡＷＳ関連情報は、送気送水制御部１２２にも送られ、この送気送水制御部１２２は、操作された情報に対応してポンプ６５及び電磁弁ユニット１２４の動作を制御する。  電磁弁ユニット１２４には、ＡＷＳアダプタ４２を介して送気送水チューブ６０ｂ、６１ｂが接続される。また、電磁弁ユニット１２４及びＡＷＳアダプタ４２には、送水タンク４８が接続され、またＡＷＳアダプタ４２には吸引タンク４９ｂが接続される。
【００５０】
また、ＡＷＳユニット４には商用電源が供給され、この商用電源は絶縁トランス１２６を介して電源伝送出力部１２７に送られる。この電源伝送出力部１２７は、商用電源とは絶縁された交流電源を、電気コネクタ４３からこの電気コネクタ４３に接続される内視鏡３の電源線７３ａに供給する。  
上記電源伝送出力部１２７は、データ通信制御部１１と接続された電力伝送制御部１２８により、電力伝送出力が制御される。  
本実施の形態を備えた内視鏡システム１では、電源を投入した場合には観察モニタ６には、例えば図１６（Ａ）のように各種の画像が表示される。この場合、患者情報等を表示する情報表示領域Ｒｊ、内視鏡画像の表示領域Ｒｉ、ＵＰＤ画像の表示領域Ｒｕ、フリーズ画像の表示領域Ｒｆ、及びアングル形状の表示領域Ｒａの他にメニュー表示領域Ｒｍが設けてあり、メニュー表示領域Ｒｍには、メニューが表示される。なお、アングル形状の表示領域Ｒａは、アングル用アクチュエータ２７ａのアングル操作量をエンコーダ２７ｃにより検出し、その場合のアングル形状を表示する。
【００５１】
メニュー表示領域Ｒｍに表示されるメニューとしては、図１６（Ｂ）に示すメインメニューが表示される。このメインメニューには、スコープスイッチ、アングル感度、挿入部硬度、ズーム、画像強調、送気量と共に、前のメニュー画面に戻る操作指示を行うと、メニューの終了の操作指示をする終了の項目が表示される。  
そして、ユーザは、トラックボール６９等の操作により選択枠をスコープスイッチの項目に移動選択すると、そのスコープスイッチの項目の枠が太く表示されて選択されていることを示す表示となり、さらにトラックボール６９を押して決定操作を行うことにより、図１５（Ｃ）に示すように５つのスコープスイッチＳＷ１からＳＷ５に割り当てる機能を選択設定することができる。
【００５２】
次に、このような構成による内視鏡システム１の作用を説明する。  
内視鏡検査を実施する前準備として、まず内視鏡本体１８の操作部２２のコネクタ部５１にディスポタイプのチューブユニット１９側の総合コネクタ部５２を接続する。この場合、接点レス伝送部７２ａ、７２ｂを形成するトランスＴ１，Ｔ２は、互いに絶縁かつ防水状態で電磁的的に接続されることになる。この接続により、内視鏡３の準備は完了する。  
次に、チューブユニット１９のスコープコネクタ４１をＡＷＳユニット４のコネクタ４３に接続する。この部分はワンタッチ接続により、各種管路、電源線、信号線、光接続が一度の接続動作で完了する。従来の内視鏡システムのように各種管路の接続や、電気コネクタの接続などをその都度それぞれ行う必要はない。
【００５３】
また、ユーザは、ＡＷＳユニット４をＵＰＤコイルユニット８と接続し、内視鏡システム制御装置５を、観察モニタ６に接続する。また、必要に応じて、内視鏡システム制御装置５を画像記録ユニット７等と接続することにより、内視鏡システム１のセットアップが完了する。  
次にＡＷＳユニット４及び内視鏡システム制御装置５の電源をオンする。すると、ＡＷＳユニット４内の各部が動作状態になり電源ユニット７５は、電源線７３ａ等を介して内視鏡３側に電源を供給できる状態になる。  
この場合のＡＷＳユニット４及び内視鏡３の起動時の動作を図１７及び図１８を参照して説明する。
【００５４】
図１５に示すＡＷＳユニット４の電源ユニット７５内の電力伝送制御部１２８は、起動処理を開始すると、図１７に示すように、最初のステップＳ１において、電源伝送出力部１２７の状態を電力供給を停止、つまり電力供給をＯＦＦにする。  
その後、ステップＳ２において、監視タイマをＯＮにした後、ステップＳ３に示すように電源伝送出力部１２７の状態を電力供給する状態、つまり電力供給をＯＮにする。電源伝送出力部１２７が電力供給する状態となることにより、この電力がチューブユニット１９内の電源線７３ａを介し、さらに接点レス伝送部７２ａを経て、操作部２２の制御回路５７内の電源発生部９８に交流の電力が供給されるようになる。  
その後、ステップＳ４に示すように電力伝送制御部１２８は、チューブユニット１９内の信号線７３ｂを介して内視鏡３側からの起動メッセージの受信待ちする状態となる。そして、電力伝送制御部１２８は、起動メッセージを受信しない場合には、ステップＳ５に示すように監視タイマの時間切れかの判断を行い、時間切れでない場合には、ステップＳ４に戻り、時間切れの場合には最初のステップＳ１に戻る。
【００５５】
一方、ステップＳ４において時間切れの前に起動メッセージを受信した場合には、電力伝送制御部１２８は、ステップＳ６に示すように監視タイマの時間計測をＯＦＦにする。そして、ステップＳ７に示すように継続メッセージを発行して、この起動処理を終了する。  
一方、内視鏡３の制御回路５７には、電源発生部９８に交流の電力が供給されることにより、制御回路５７内の動作に必要な電力が供給され、起動処理を開始する。そして、図１３に示す状態管理部８１は、最初のステップＳ１１において電源発生部９８の電源電圧が安定化するのを待つ。  
そして、電源電圧が安定化した場合には次のステップＳ１２において、状態管理部８１は、制御回路５７各部のシステム初期化を行う。このシステム初期化の後、ステップＳ１３に示すように状態管理部８１は、起動メッセージを送受信ユニット８３を介し、さらにチューブユニット１９内の信号線７３ｂを経て電力伝送制御部１２８に送信する。
【００５６】
この起動メッセージの送信後、ステップＳ１４に示すように状態管理部８１は、電力伝送制御部１２８側からの継続メッセージを受信するのを待つ状態となり、継続メッセージを受信した場合には、起動処理を終了する。一方、継続メッセージを受信しない場合には、ステップＳ１５に示すように状態管理部８１は、リトライ終了の条件（例えば予め設定されたリトライ回数の条件）に達しない場合には、ステップＳ１３に戻り、再度起動メッセージを発行し、リトライ終了の条件になった場合には、エラー終了する。  
上記起動処理が正常に終了すると、ＣＣＤ２５による撮像が開始し、ユーザは、操作部２２の操作手段により送気送水、吸引、アングル操作、硬度変更操作等を行うことができる。  
これらに関する代表的な処理動作を図１９〜図２２により説明する。図１９は撮像制御処理の動作内容を示す。
【００５７】
図１９に示すように、撮像処理が開始するとステップＳ２１に示すように、内視鏡３は、撮像データ取得を行う。具体的には、状態管理部８１の管理（制御）下で、ＬＥＤ５６は発光すると共に、ＣＣＤ駆動部８６はＣＣＤ２５を駆動する動作を開始し、ＣＣＤ２５により撮像された撮像信号はＡＤＣ８７によりデジタル信号（撮像データ）に変換される。その撮像データ（画像データ）は順次、画像メモリ８８に記憶され、撮像データの取得が行われる。  
取得された画像データは、ステップＳ２２に示すように順次送信される。画像メモリ８８から読み出された画像データは、送受信ユニット８３からＡＷＳユニット４に有線で送信され、このＡＷＳユニット４の送受信ユニット７７から無線で内視鏡システム制御装置５側に送信され、内視鏡システム制御装置５の内部で映像信号に変換されて観察モニタ６に表示されるようになる。
【００５８】
また、ＡＤＣ８７の撮像データは、明るさ検出部８９に入力される。ステップＳ２３に示すようにこの明るさ検出部８９は、撮像データの輝度データの適宜の時間での平均値を算出するなどして、撮像データの明るさ検出を行う。  
この明るさ検出部８９の検出データは、例えば状態管理部８１に入力され、指定の明るさか否かの判断が行われる（ステップＳ２４）。そして、指定の明るさの場合には、撮像処理を終了し、次の撮像処理に移る。  
一方、ステップＳ２４において、状態管理部８１は、指定の明るさでないと判断した場合には、ステップＳ２５に示すように、照明制御部８４に照明光調整の指示信号（制御信号）を送り、照明制御部８４は、照明光量の調整を行う。例えば、照明制御部８４は、ＬＥＤ５６を発光させる駆動電流を増大或いは減少させる等して照明光量の調整を行う。照明制御部８４は、この調整結果を状態管理部８１に返す。
【００５９】
従って状態管理部８１は、調整結果の情報により、照明制御部８４により可能な明るさ調整範囲内かの判断を行う。そして、照明制御部８４による明るさ調整で行えた場合には、ステップＳ２７の処理を行わないで、この撮像処理制御を終了する。一方、照明制御部８４による明るさ調整範囲から外れた場合には、ステップＳ２７に示すように状態管理部８１は、ＣＣＤ駆動部８６に対してＣＣＤゲイン調整の信号を出力し、ＣＣＤ２５のゲインを調整することにより撮像データの明るさ調整を行う。そして、この撮像処理を終了する。  
次に図２０の送気送水処理を説明する。図１１に示したように通常は、操作部２２におけるトラックボール６９の両側に送気送水スイッチと吸引スイッチとの機能が割り付けられる。  
送気送水の処理が開始すると、図２０のステップＳ３１に示すように、制御回路５７の状態管理部８１は、送気送水スイッチの状態データの取得を行う。
【００６０】
送気送水スイッチの操作は、図１３に示すスイッチ押し検出部９６によりその操作が検出され、その検出結果の情報が入力されることにより、状態管理部８１は、送気送水スイッチの状態データの取得を行う。  
そして、ステップＳ３２に示すように状態管理部８１は、送気送水スイッチの状態変化を判断する。ステップＳ３２において、送気送水スイッチの状態変化があったと判断した場合には、ステップＳ３３に示すように状態管理部８１は、ユーザにより操作された送気送水スイッチの指示に対応する送気送水制御データを送受信ユニット８３を介してＡＷＳユニット４側に送信する。  
ＡＷＳユニット４における送気送水制御部１２２は、この送気送水制御データに対応して、ポンプ６５や電磁弁ユニット１２４の制御動作を行う。そして、この送気送水処理動作を終了する。一方、ステップＳ３２において、送気送水スイッチの状態変化がないと判断された場合には、ステップＳ３３の処理を行うことなく、この送気送水処理動作を終了する。なお、吸引処理は、送気送水処理とほぼ同様であるので、その処理を省略する。
【００６１】
次に図２１を参照してアングル操作制御の処理を説明する。アングル制御の処理が開始すると、ステップＳ４１に示すように状態管理部８１は、アングル制御が有効か否かの判断を行う。  
本実施の形態においては、トラックボール６９には、このトラックボール６９が押圧されているか否かにより、状態管理部８１は、ステップＳ４１に示すようにアングル制御有効か否かの判断を行う。具体的には、状態管理部８１は、トラックボール変位検出部９５の出力により、トラックボール６９の変位操作と押圧操作とを検出することができる。なお、トラックボール６９が押圧されているとアングル制御がＯＦＦにされる。  
状態管理部８１は、トラックボール変位検出部９５の出力により、アングル制御が有効か否かの判断を行う。
【００６２】
そして、アングル制御が有効でないと判断した場合には、ステップＳ４５に移り、前の指令値を保持する。一方、アングル制御が有効と判断した場合には、次のステップＳ４２に進み、状態管理部８１は、トラックボール６９の操作によるその状態データの取得を行う。そして、次のステップＳ４３において、状態管理部８１は、トラックボール変位検出部９５の出力により、さらに状態変化が有りか否かの判断を行う。  
この場合、状態管理部８１は、状態変化がないと判断した場合には、ステップＳ４５に移り、逆に状態変化が有ると判断した場合には、次のステップＳ４４において、トラックボール６９の回転方向、回転量に対応する指令値を算出する。  
ステップＳ４４或いはＳ４５の処理の後、ステップＳ４６に示すように状態管理部８１は、指令値をアングル制御部９１を介してアクチュエータ駆動部９２に送り、アングル用アクチュエータをサーボ処理する。
【００６３】
つまり、アクチュエータ駆動部９２は、指令値に基づいてその指令値に対応するアングル状態（湾曲角）となるようにアングル用アクチュエータを駆動する。その際、アングル用アクチュエータのアングル状態をエンコーダにより検出し、このエンコーダにより検出される値が指令値に一致するようにアクチュエータ駆動部９２は、アングル用アクチュエータを駆動する。このようにして、アングル制御処理を終了する。  
なお、図２１では、ステップＳ４６のサーボ処理の際に、接触センサを設けた場合の処理動作（ステップＳ４７及びＳ４８）も示している。
【００６４】
次に図２２を参照して、硬度変更操作の制御処理を説明する。この制御処理は、図２１と基本的に同様の制御処理を行う。  
硬度変更操作の制御処理が開始すると、ステップＳ５１に示すように状態管理部８１は、硬度可変制御が有効か否かの判断を行う。  
具体的には、図１６（Ｂ）に示したようにメインメニューにより挿入部硬度がスコープスイッチＳＷ１〜ＳＷ５に割り付けられており、状態管理部８１は、挿入部硬度のスコープスイッチが押されて有効にされたか否かの判断を行う。  
そして、状態管理部８１は、硬度可変制御が有効でないと判断した場合には、ステップＳ５５に移り、前の指令値を保持する。一方、硬度可変制御が有効と判断した場合には、次のステップＳ５２に進み、状態管理部８１は、トラックボール６９の操作によるその状態データの取得を行う。
【００６５】
そして、次のステップＳ５３において、状態管理部８１は、トラックボール変位検出部９５の出力により、さらに状態変化が有りか否かの判断を行う。  
この場合、状態管理部８１は、状態変化がないと判断した場合には、ステップＳ５５に移り、逆に状態変化が有ると判断した場合には、次のステップＳ５４において、トラックボール６９の回転方向、回転量に対応する指令値を算出する。  
ステップＳ５４或いはＳ５５の処理の後、ステップＳ５６に示すように状態管理部８１は、指令値を硬度変更制御部９３を介してアクチュエータ駆動部９４に送り、硬度可変用アクチュエータ５４Ａ或いは５４Ｂをサーボ処理する。
【００６６】
つまり、アクチュエータ駆動部９４は、指令値に基づいてその指令値に対応する目的硬度となるように硬度可変用アクチュエータ５４Ａ或いは５４Ｂを駆動する。その際、硬度可変用アクチュエータ５４Ａ或いは５４Ｂの硬度可変状態をエンコーダ５４ｃにより検出し、このエンコーダ５４ｃにより検出される値が目的硬度に到達するようにアクチュエータ駆動部９４は、硬度可変用アクチュエータ５４Ａ或いは５４Ｂを駆動する。  
このようなサーボ処理を行う最中となるステップＳ５７において、硬度変更制御部９３或いは状態管理部８１は、アクチュエータ駆動部９４により硬度可変用アクチュエータ５４Ａ或いは５４Ｂの可変範囲内か否かの判断を行い、この可変範囲から逸脱した場合にはこの硬度可変制御の処理を終了する。
【００６７】
また、ステップＳ５７において、硬度可変用アクチュエータ５４Ａ或いは５４Ｂの可変範囲内の場合には、さらに次のステップＳ５８において、硬度変更制御部９３或いは状態管理部８１は、目的硬度に到達したか否かの判断を行い、目的硬度に到達していない場合にはステップＳ５６に戻り、サーボ処理を続行する。このようにして、目的硬度に到達した場合には、硬度可変の制御処理を終了する。  
また、ＵＰＤユニット７６は、ＵＰＤコイルユニット８により、内視鏡３の挿入部２１の内部に配置されたＵＰＤコイル５８に位置を検出して、挿入部２１の挿入形状を算出し、観察モニタ６の表示画面に挿入部形状、つまりＵＰＤ画像を表示する。
【００６８】
図２３（Ａ）〜（Ｄ）は、それぞれ右側のメニュー画面と左側のＵＰＤ画像とが対応する状態で示しており、ユーザがメニュー画面により、硬度可変用アクチュエータ５４Ａ、５４Ｂの硬度を選択設定した場合における複数箇所（具体例では２つの箇所）に設けた硬度可変用アクチュエータ５４Ａ、５４Ｂの硬度部分を設定した硬度に対応する色で表示することにより、その部分の硬度を識別し易くした様子を示す。  
図２３（Ａ）はメインメニューの表示状態を示し、この表示状態でユーザが挿入部硬度可変を選択する場合を示す。この場合には、ＵＰＤ画像は、挿入部硬度可変が選択される直前となるため、硬度可変用アクチュエータ５４Ａ、５４Ｂの区間Ａ、Ｂは、この区間Ａ、Ｂ以外の部分と区別されないで表示される。  
図２３（Ｂ）のように挿入部硬度可変が選択されると、２箇所の硬度可変用アクチュエータ５４Ａ、５４Ｂの区間Ａ、Ｂに対して設定する硬度の区間範囲を示し、その区間Ａ、Ｂでは硬度が（柔らかい）軟の状態から硬い硬の状態におけるいずれの硬度に設定するかの硬度設定画面となり、現在の硬度の位置がそれぞれ丸で示される。この場合、軟から硬まで、それぞれ異なる表示色で表示される。
【００６９】
従って、対応するＵＰＤ画像は、硬度可変用アクチュエータが設定されている硬度に対応する表示色で、硬度可変用アクチュエータの部分がカラー表示される。図２３（Ｂ）の状態では、硬度区間は軟に近い状態に設定されており、この場合におけるＵＰＤ画像における硬度可変用アクチュエータ５４Ａおよび５４Ｂの区間Ａ、Ｂ部分は、黄色で表示される。  
図２３（Ｃ）は、図２３（Ｂ）の状態において、例えば硬度可変用アクチュエータ５４Ｂの区間Ｂの硬度を中央付近の硬度に設定した場合のものであり、この場合におけるＵＰＤ画像における硬度可変用アクチュエータ５４Ｂの区間Ｂは緑色で表示される。  
また、図２３（Ｄ）は、図２３（Ｂ）或いは図２３（Ｃ）の状態において、例えば硬度可変用アクチュエータ５４Ｂの区間Ｂの方の硬度を硬（硬い値）の硬度に設定した場合のものであり、この場合におけるＵＰＤ画像における硬度可変用アクチュエータ５４ＢのＢは、青色で表示される。
【００７０】
このように表示することにより、ユーザは、硬度可変用アクチュエータ５４Ａ、５４Ｂの硬度を自由に設定できると共に、設定された硬度可変用アクチュエータ５４Ａ，５４Ｂの区間Ａ、Ｂ部分を設定された硬度に対応する表示色で表示するため、ユーザは硬度可変用アクチュエータ５４Ａ，５４Ｂの硬度を簡単に識別することができる。  
また、ＵＰＤコイル５８により、挿入部２１の形状が表示されるので、術者は挿入部２１の挿入作業等を容易に行うことができる。
【００７１】
次に、ユーザによるリモコン操作を実現するヒューマンインターフェースの内視鏡３側及び内視鏡システム制御装置５側での処理内容を、図２４及び図２５を参照して説明する。なお、図２４、図２５中ではヒューマンインターフェースをＨＭＩと略記する。  
図２４に示すようにヒューマンインターフェースの処理が開始すると、状態管理部８１は、アングル有効スイッチがＯＦＦにされるのを待つ。つまり、トラックボール６９が押圧されてアングル有効スイッチがＯＦＦにされるのを待つ。
【００７２】
そして、アングル有効スイッチがＯＦＦにされると、次のステップＳ６２に示すように状態管理部８１は、ＧＵＩ（グラフィカルユーザインターフェース）表示メッセージを発行する。このＧＵＩ表示メッセージは、内視鏡３からＡＷＳユニット４を経由して無線で内視鏡システム制御装置５のシステム制御ユニット１１７内の（制御用ＣＰＵ）に送られる。  
状態管理部８１は、ＧＵＩ表示メッセージを発行した後、次のステップＳ６３において、内視鏡システム制御装置５側からＧＵＩの表示完了メッセージの受信待ちの状態となる。そして、状態管理部８１は、このＧＵＩの表示完了メッセージの受信できない場合には、ステップＳ６４に進みリトライ終了の条件に該当するか否かの判断を行い、リトライ終了の条件に該当しない場合にはステップＳ６３に戻り、逆にリトライ終了の条件に該当する場合にはエラー終了する。
【００７３】
ステップＳ６３の処理において、状態管理部８１は、表示完了メッセージを受信した場合には、ステップＳ６５に移り、アングル有効スイッチがＯＮされたか否かの判断を行う。そして、状態管理部８１は、アングル有効スイッチがＯＮにされた場合には、ステップＳ６６に示すようにＧＵＩ終了メッセージを発行する。  
このＧＵＩ終了メッセージは、ＧＵＩ表示メッセージの場合と同様に、内視鏡３からＡＷＳユニット４を経由して無線で内視鏡システム制御装置５に送信される。そして、このＧＵＩ終了メッセージを発行した後、状態管理部８１は、次のステップＳ６７において、内視鏡システム制御装置５側からＧＵＩの表示終了メッセージの受信待ちの状態となる。そして、状態管理部８１は、このＧＵＩの表示終了メッセージを受信した場合には、このヒューマンインターフェース処理を終了する。
【００７４】
一方、状態管理部８１は、このＧＵＩの表示終了メッセージを受信できない場合には、ステップＳ６８に進み、リトライ終了の条件に該当するか否かの判断を行い、リトライ終了の条件に該当しない場合にはステップＳ６６に戻り、逆にリトライ終了の条件に該当する場合にはエラー終了する。  
また、ステップＳ６５において、アングル有効スイッチがＯＮにされない場合には、ステップＳ６９側のメニュー画面での処理に移り、このステップＳ６９において、状態管理部８１は、トラックボール６９の状態の変化が有るか否かの判断をトラックボール変位検出部９５の出力からある閾値以上の変化量が有るか否かによって判断する。  
そして、ステップＳ７０に示すように状態管理部８１は、トラックボール６９の状態の変化が有ると判断した場合には、そのトラックボール６９の状態データ（変化データ）を取得する。
【００７５】
この場合、ユーザは、図１６（Ｂ）のメインメニューの画面において、トラックボール６９の操作に対応して動くカーソルにより、所望とする項目の機能を選択指示することができる。  
そして、ステップＳ７１に示すように状態管理部８１は、ユーザによるトラックボール６９の操作に対応した状態データを送信する。この状態データは、内視鏡３からＣＣＤ２５の撮像データと同期してパケットデータとしてＡＷＳユニット４を経て内視鏡システム制御装置５に送信される。この状態データの送信後、ステップＳ６５の処理に戻る。  
ステップＳ６９において、状態管理部８１は、トラックボール６９の状態変化が無いと判断した場合には、ステップＳ７２に示すようにスイッチ状態（スイッチＳＷ１〜ＳＷ５）の変化が有るか否かをスイッチ押し検出部９６による検出出力により判断する。
【００７６】
このステップＳ７２において、スイッチ状態の変化がないと判断した場合にはステップＳ６５に戻り、逆にスイッチ状態の変化があると判断した場合にはステップＳ７３に示すように、状態管理部８１は、スイッチ押し状態データを取得し、さらに次のステップＳ７４において取得したスイッチ押しデータを送信してステップＳ６５の処理に戻る。  
一方、図２５に示すようにヒューマンインターフェースの処理が開始すると、内視鏡システム制御装置５のシステム制御ユニット１１７のＣＰＵは、最初のステップＳ８１において、内視鏡３側からのＧＵＩ表示メッセージの受信待ちの状態となる。このＣＰＵは、図８或いは図１４の送受信ユニット１０１を介して無線によるＧＵＩ表示メッセージの受信を待つ。  
そして、ステップＳ８２に示すようにこのシステム制御ユニット１１７のＣＰＵは、ＧＵＩ表示メッセージを受信すると、ＧＵＩ表示の制御処理を行う。つまり、ＣＰＵは、画像処理ユニット１１６に対してＧＵＩ表示を行う制御を行う。
【００７７】
ステップＳ８２のＧＵＩ表示の処理後、ステップＳ８３に示すようにＣＰＵは、表示完了メッセージを発行する。ＣＰＵは、この表示完了メッセージを送受信ユニット１０１を介して送信する。次のステップＳ８４において、ＣＰＵは、内視鏡３側からＧＵＩ終了メッセージを受信したか否かの判断を行う。そして、ＣＰＵは、このＧＵＩ終了メッセージを受信した場合には、ステップＳ８５においてＧＵＩ表示を終了する処理を行った後、次のステップＳ８６においてＧＵＩ表示終了メッセージを発行した後、このヒューマンインターフェースの処理を終了する。  
ステップＳ８４において、ＣＰＵは、ＧＵＩ終了メッセージを受信していない場合には、ステップＳ８７に移り、トラックボール６９の受信データに変化が有るか否かの判断を行う。このトラックボール６９の受信データの変化の有無の判断は、内視鏡３側によるトラックボール６９の状態の変化の判断結果を受けて行う。そして、受信データに変化有りの場合には、ステップＳ８８に示すようにトラックボール６９の状態データの取得を行う。さらに次のステップＳ８９において、ＣＰＵは、取得したトラックボール６９の状態データ（変化データ）に対応する移動量、カーソルを移動させる。そして、ステップＳ８４の処理に戻る。
【００７８】
また、ステップＳ８７の処理において、トラックボール６９の受信データに変化がないと判断した場合には、ＣＰＵは、ステップＳ９０に示すようにスイッチの受信データに変化ありか否かの判断を、内視鏡３側での判断結果の送信データの受信した受信データにより行う。  
そして、スイッチの受信データに変化ありと判断した場合には、ステップＳ９１に示すようにＣＰＵは、内視鏡３側からの送信情報からスイッチ押し状態データを取得する。さらにステップＳ９１に示すようにＣＰＵは、スイッチ押しがされたスイッチに割り付けられて機能の実行する処理を行ってステップＳ８４の処理に戻る。また、ステップＳ９０において、スイッチの受信データに変化が無い場合にもステップＳ８４の処理に戻る。  
このような動作を行う内視鏡システム１を形成する本実施の形態の内視鏡３によれば、この内視鏡３を操作部２２において内視鏡本体１８と、チューブユニット１９とに分離可能にして、チューブユニット１９側を使い捨てタイプにすることにより、内視鏡本体１８の洗浄、滅菌等を容易に行うことができる。
【００７９】
つまり、内視鏡本体１８における送気送水管路６０ａ及び吸引管路６１ａは、チューブユニット１９に対応するユニバーサルケーブルが一体的に形成された従来例の場合に比べてはるかに短くでき、従って洗浄や滅菌も行い易い。  
また、この場合、チューブユニット１９に対応するユニバーサルケーブルが一体的に形成された従来例の場合には、操作部２２からユニバーサルケーブルが屈曲されるようにして連設されているが、本実施の形態では操作部２２のコネクタ部５１において、若干屈曲した程度の管路コネクタ部５１ａとなり、その他の部分は、ほぼ直線状に延びる送気送水管路６０ａと吸引管路６１ａとなっているので、管路内の洗浄や滅菌及び乾燥等の処理を容易かつ短時間に行うことができる。従って、内視鏡検査を行うことができる状態に短時間に設定できる。
【００８０】
また、本実施の形態では、内視鏡本体１８と、チューブユニット１９とを接点レスで着脱自在に接続する構造にしているので、内視鏡本体１８を繰り返し洗浄、滅菌しても、接点レスでない場合の接点の導通不良等の発生がなく、信頼性を向上できる。  
また、本実施の形態においては、操作部２２にアングル操作手段、送気送水操作手段、吸引操作手段、硬度変更操作手段、フリーズ操作手段、レリーズ操作手段等の多数の操作手段を設けると共に、これらの操作手段を操作部２２内に設けた制御回路５７により集約的（集中的）に制御する構成にしている。また、この制御回路５７は、撮像を行うための照明光を出射する発光手段及び撮像を行う撮像手段も上記操作手段と共に集約的に制御する構成にしている。  
このように本実施の形態においては、内視鏡本体１８に設けた各種機能を操作部２２内部に設けた制御回路５７により、集約的に制御すると共に、内視鏡本体１８に接続されるＡＷＳユニット４及び無線で情報を送受信を行う内視鏡システム制御装置５に対する操作手段に対する各種機能も集約的に制御する構成にしているので、ユーザ（より具体的には術者）は、操作部２２に設けた各種の操作手段により各種の操作を自由に行うことができ、操作性を大幅に向上できる。
【００８１】
特に本実施の形態においては、操作部２２内に集約的な制御を行う制御回路５７を設けることにより、この制御回路５７からＣＣＤ２５により撮像して得た画像データと、操作手段による各種信号をパケット化等して１対の信号線７１ｂにより共通に伝送するようにしているので、電気信号線の本数を削減できる（具体的には、信号を伝送する信号線２本と電力を伝送する電源線２本に削減できる。また、信号線と電源線とのそれぞれ一方を共通に利用すれば全体で３本にできる）。  
従って、操作部２２における接続部において接続されるチューブユニット１９内に挿通することが必要となる信号線の本数も削減でき、チューブユニット１９側を使い捨てにすることを可能にしている。  
また、チューブユニット１９内に挿通される信号線の本数を削減することにより、チューブユニット１９を細径化及び屈曲し易くでき、ユーザが操作する場合における操作性を向上できる。  
【図面の簡単な説明】
【００８２】
【図１】図１は本発明を備えた内視鏡システムの概略の構成図。
【図２】データ通信形態を示す図。
【図３】本発明の内視鏡の概略の構成を示す図。
【図４】本実施の形態を備えた内視鏡システムの全体構成を示す斜視図。
【図５】ＡＷＳユニット周辺部の具体的な外観形状を示す斜視図。
【図６】ＡＷＳユニットに着脱自在のＡＷＳアダプタを取り付けた状態及び取り外した状態を示す斜視図。
【図７】内視鏡システム制御装置及びＡＷＳユニットの内部構成及びスコープコネクタの接続部の構造を示す図。
【図８】ＡＷＳアダプタの構造を示す図。
【図９】内視鏡の詳細な構成を示す全体図。
【図１０】アングル用部材及び硬度可変用アクチュエータに用いられる導電性高分子人工筋肉（ＥＰＡＭ）の概略の機能を示すための説明図。
【図１１】図８のＡ矢視により操作部に設けたトラックボール等を示す図。
【図１２】操作部本体にチューブユニットの基端が接点レスで着脱自在に接続される接点レス伝送部の構成を示す回路図。
【図１３】内視鏡内に設けられた構成要素における電気系の構成を示すブロック図。
【図１４】内視鏡システム制御装置の主要部の電気系の構成を示すブロック図。
【図１５】ＡＷＳユニットの電気系の構成を示すブロック図。
【図１６】観察モニタのモニタ表示面の代表的な表示例とメニュー表示の具体例を示す図。
【図１７】ＡＷＳユニットの起動処理の動作内容を示すフローチャート図。
【図１８】内視鏡の起動処理の動作内容を示すフローチャート図。
【図１９】撮像制御処理の動作内容を示すフローチャート図。
【図２０】送気送水の制御処理の動作内容を示すフローチャート図。
【図２１】アングル操作の制御処理を示すフローチャート図。
【図２２】硬度変更操作に対する制御操作を示すフローチャート図。
【図２３】硬度変更の設定操作とその操作に対応するＵＰＤ画像を示す動作説明図。
【図２４】ヒューマンインターフェースにおける内視鏡側での処理内容を示すフローチャート図。
【図２５】ヒューマンインターフェースにおける内視鏡システム制御装置側での処理内容を示すフローチャート図。
【符号の説明】
【００８３】
１…内視鏡システム
２…検査ベッド
３…内視鏡
４…ＡＷＳユニット
５…内視鏡制御システム
６…観察モニタ
７…画像記録ユニット
８…ＵＰＤコイルユニット
９…ＬＡＮ
１１…データ通信制御部
１３…アンテナ部
１５…電気コネクタ
１８…内視鏡本体
１９…チューブユニット
２１…挿入部
２２…操作部
２５…ＣＣＤ
２７…湾曲部
２７ａ…アングル用アクチュエータ
４０、４１…スコープコネクタ
４２…ＡＷＳアダプタ
４３…電気コネクタ
４４…送気コネクタ
４５…ピンチバルブ
５１…コネクタ部
５２…総合コネクタ部
５３…軟性部
５４Ａ．５４Ｂ…硬度可変用アクチュエータ
５６…ＬＥＤ
５７…制御回路
５８…ＵＰＤコイル
５９…ＵＰＤコイル駆動ユニット
６０ａ、６０ｂ…送気送水管路
６１ａ、６１ｂ…吸引管路
６６…ＡＷＳ制御ユニット
６８…把持部
６９…トラックボール
７１ａ、７３ａ…電源線
７１ｂ、７３ｂ…信号線
７２ａ、７２ｂ…接点レス伝送部
７５…電源ユニット
７６…ＵＰＤユニット
７７、８３…送受信ユニット
８１…状態管理部
８２…状態保持メモリ
９１…アングル制御部
９２…アクチュエータ駆動部
９３…硬度変更制御部
９５…トラックボール変位検出部
１４３…透明度センサ
代理人    弁理士    伊藤  進
【図１】
2005304869.tif 000003
【図２】
2005304869.tif 000004
【図３】
2005304869.tif 000005
【図４】
2005304869.tif 000006
【図５】
2005304869.tif 000007
【図６】
2005304869.tif 000008
【図７】
2005304869.tif 000009
【図８】
2005304869.tif 000010
【図９】
2005304869.tif 000011
【図１０】
2005304869.tif 000012
【図１１】
2005304869.tif 000013
【図１２】
2005304869.tif 000014
【図１３】
2005304869.tif 000015
【図１４】
2005304869.tif 000016
【図１５】
2005304869.tif 000017
【図１６】
2005304869.tif 000018
【図１７】
2005304869.tif 000019
【図１８】
2005304869.tif 000020
【図１９】
2005304869.tif 000021
【図２０】
2005304869.tif 000022
【図２１】
2005304869.tif 000023
【図２２】
2005304869.tif 000024
【図２３】
2005304869.tif 000025
【図２４】
2005304869.tif 000026
【図２５】
2005304869.tif 000027